(57)【特許請求の範囲】
【請求項１】
建物内の各部屋の間取りを表記した平面図からなる図面であって、
該図面の上に、該間取りの縮尺に合わせて各辺及び面積が規定された六角形が複数整列して重ねて配設され、
該六角形の個数に基づいて各部屋のサイズを確認する図面。
【請求項２】
前記平面図からなる図面は、紙媒体図面からなり、
前記六角形は、透明シートに複数整列して印刷されており、
該透明シートを該紙媒体図面の上に重ねることにより該透明シートから該紙媒体図面を透かした状態で、該六角形の個数に基づいて前記各部屋のサイズを確認する請求項１に記載の図面。
【発明の詳細な説明】
【技術分野】
【０００１】
本発明は、建物内のレイアウト図、間取り図などの平面図の図面に関する。
【背景技術】
【０００２】
建物内のレイアウト図、間取り図などの平面図には、各部屋等の寸法が補助線及び寸法を示す数値で示されており、各主要な部屋の面積や部屋の大きさを把握することができる（例えば、下記の特許文献１を参照）。
【０００３】
また、下記の特許文献２には、図面の上にインテリアコーディネートを施した図をカラープリントした透明シートを重ねることにより、各主要な部屋の大きさ等のイメージを認識することができる技術が記載されている。
【先行技術文献】
【特許文献】
【０００４】
【特許文献１】特開平０９−１２８４１８号公報
【特許文献２】登録実用新案第３０３７４６８号公報
【発明の概要】
【発明が解決しようとする課題】
【０００５】
しかしながら、通常のレイアウト図や間取りの平面図は、各部屋等の辺の寸法補助線が多数引かれ寸法が図面の枠外に記載されて見づらい上、部屋の面積が分かり難いという問題がある。また、寸法補助線や寸法が引かれていない場合には、例えば、定規などで寸法を測るなど煩雑な作業を行う必要があった。
【０００６】
本発明は、上記の事情にかんがみてなされたもので、煩雑な作業をすることなく、各部屋の寸法及び面積を把握できるようにすることを目的とする。
【課題を解決するための手段】
【０００７】
本発明は、建物内の各部屋の間取りを表記した平面図からなる図面であって、該図面の上に、該間取りの縮尺に合わせて各辺及び面積が規定された六角形が複数整列して重ねて配設され、該六角形の個数に基づいて該各部屋のサイズを確認する。
【０００８】
また、上記平面図からなる図面は、紙媒体図面からなり、上記六角形は、透明シートに複数整列して印刷されており、該透明シートを該紙媒体図面の上に重ねることにより該透明シートから該紙媒体図面を透かした状態で、該六角形の個数に基づいて上記各部屋のサイズを確認する。
【発明の効果】
【０００９】
本発明の図面は、建物内の複数の部屋の間取りを表記した平面図からなる図面であって、該図面の上に、該間取りの縮尺に合わせて各辺及び面積が規定された六角形が複数整列して重ねて配設され、六角形の個数に基づいて各部屋のサイズを確認できるため、各部屋の辺の寸法や寸法補助線等が図面に表記されていなくても、確認したい各部屋に重なっている六角形の個数を数えるだけで、部屋の寸法や面積を容易に把握することができる。
【００１０】
また、上記平面図からなる上記図面が紙媒体図面からなり、上記六角形が透明シートに複数整列して印刷されている場合は、透明シートを紙媒体図面の上に重ねることにより透明シートから平明図を透かした状態で、六角形の個数に基づいて各部屋のサイズを確認することができるため、各部屋の辺の寸法や寸法補助線等が紙媒体図面に表記されていなくても、上記同様に、確認したい各部屋に重なっている六角形の個数を数えるだけで、部屋の寸法や面積を容易に把握することができる。
【図面の簡単な説明】
【００１１】
【図１】建物内の各部屋の間取りの一例を表記した平面図である。
【図２】図１の図面の上に、複数の六角形が重ねて整列して配設された状態を示す一部拡大平面図である。
【図３】六角形の構成を説明する説明図である。
【図４】大型建物内の各部屋の間取りの一例を表記した紙媒体図面の平面図である。
【図５】複数の六角形が整列して印刷された透明シートを示す図である。
【図６】図４の紙媒体図面の上に図５の透明シートを重ね合わせた状態を示す図である。
【発明を実施するための形態】
【００１２】
１  第１の実施形態
図１に示す図面１は、建物内の各部屋の間取りの一例を表記した平面図である。図面１には、寸法補助線及び各部屋の寸法を示す数値は表記されていない。図面１の構成は、特に限定されるものではなく、紙媒体図面によって構成してもよいし、電子上の画像によって構成してもよい。
【００１３】
図面１の上には、図２に示すように、間取りの縮尺に合わせて各辺及び面積が規定された複数の六角形３が複数整列して重ねて配設されている。すなわち、図面１の上に、確認したい各部屋のサイズ（寸法及び面積）を測るためのツールとなる六角形３が表記され、図面１と複数の六角形３とが一体化した構成となっている。
【００１４】
図３に示すように、六角形３は、所定の長さの各辺及び面積を有する扁平六角形から構成される。ここで、六角形３の６つの頂点をそれぞれＡ，Ｂ，Ｃ，Ｄ，Ｅ及びＦとする。頂点Ｂと頂点Ｄとを結ぶ辺ＢＤの中央を中点Ｇとする。頂点Ａと頂点Ｅとを結ぶ辺ＡＥの中央を中点Ｈとする。本実施形態に示す六角形３においては、例えば、辺ＡＢ及び辺ＤＥの長さが１０００ｍｍに規定され、辺ＡＥ，辺ＢＤ及び辺ＣＦの長さが２０００ｍｍに規定され、辺ＣＧ及び辺ＦＨが５００ｍｍに規定されているものとする。そして、この場合の六角形３の面積は、四角形ＡＢＤＥの面積（２ｍ２）と三角形ＦＡＥ及びＣＢＤの面積（１ｍ２）との合計に基づき３ｍ２となる。
【００１５】
六角形３は、本実施形態に示した大きさ（各辺の長さ及び面積）に限られるものではなく、大きさの異なる複数種類の六角形を形成してもよい。すなわち、確認したい部屋などのサイズに対応する大きさに六角形を形成すればよい。なお、図面１が電子上の画像からなる場合には、六角形３も電子画像として構成し、電子画像同士を重ね合わせるようにしてもよい。なお、図示の例では、図面１の上の一部分に複数の六角形３が整列して配設されているが、この構成に限られない。
【００１６】
本実施形態に示した六角形３は、正六角形ではなく、扁平六角形から構成されているため、確認したい部屋のサイズを区切りのいい数値で把握することができる。六角形３の個数は、必要に応じて適宜増減させればよい。
【００１７】
図１に示した図面１のうち、例えば四角形状の部屋２のサイズを確認したい場合は、図２に示すように、部屋２の上に整列して重ねて配設された六角形３の個数に基づいて、部屋２のサイズを確認する。部屋２には、縦方向に２個、横方向に３個半の六角形３が整列して配設されて重なっている。よって、部屋２の縦方向の長さは、例えば、図３に示した辺ＡＢの長さ（１０００ｍｍ）と辺ＦＧの長さ（１５００ｍｍ）との和に基づき３５００ｍｍであることが確認できる。また、部屋２の横方向の長さは、例えば、辺ＢＤを三倍した長さ（６０００ｍｍ）と辺ＢＧの長さ（５００ｍｍ）との和に基づき６５００ｍｍであると確認することができる。そして、部屋２の面積は、縦方向の長さ（３５００ｍｍ）と横方向の長さ（６５００ｍｍ）とを乗じて算出することにより、２２．７５ｍ２であると確認することができる。
【００１８】
このように、第１の実施形態では、図面１の上に、間取りの縮尺に合わせて各辺及び面積が規定された六角形３が複数整列して重ねて配設され、六角形３の個数に基づいて各部屋のサイズを確認できるように構成したため、図面１に各部屋の辺の寸法や寸法補助線等が表記されていなくても、確認したい各部屋に重なっている六角形３の個数を数えるだけで、部屋の寸法や面積を容易に把握することができる。
【００１９】
２  第２の実施形態
図４に示す図面４は、大型建物内の間取りの一例を示した平面図が紙媒体図面によって構成されたものである。図面４には、図１に示した図面１と同様に、寸法補助線及び各部屋の寸法を示す数値は表記されていない。このように構成される図面４の上に、図５に示す複数の六角形３が複数整列して印刷された透明シート５を重ね合わせることにより、六角形３の個数に基づいて各部屋のサイズを確認する。透明シート５に印刷されている六角形３の構成は、第１の実施形態に示したものと同様に、所定の長さの各辺及び面積を有する扁平六角形からなり、本実施形態においても、六角形３の面積は、３ｍ２に規定されているものとする。
【００２０】
透明シート５のサイズは、特に限定されない。また、透明シート５の全面に複数の六角形３が整列して印刷されているが、透明シート５の一部に六角形３を整列して印刷してもよい。
【００２１】
このように構成される図面４の上に透明シート５を重ね合わせると、図６に示すように、透明シート５から図面４の建物内の間取りを透かした状態で視認することができる。かかる状態で、確認したい部屋や施設に重なっている六角形３の個数に基づいて、確認したい部屋や施設のサイズを測る。透明シート５は、図面４の全体を複数の六角形３で覆うことができるサイズに構成されていることから、一部の部屋や施設のサイズのみならず、図面４に表記された建物内の全体のサイズを把握することができる。
【００２２】
このように、第２の実施形態では、図面４が紙媒体図面からなり、間取りの縮尺に合わせて各辺及び面積が規定された六角形３が透明シート５に複数整列して印刷され、透明シート５を図面４の上に重ねることにより透明シート５から図面４を透かした状態で、六角形３の個数に基づいて各部屋のサイズを確認できるように構成したため、図面４に各部屋の辺の寸法や寸法補助線等が表記されていなくても、図面４に透明シート５を重ね合わせて、確認したい各部屋に重なっている六角形３の個数を数えるだけで、部屋の寸法や面積を容易に把握することができる。
【００２３】
なお、本実施形態に示した図面１，図面４及び透明シート５は、例えば、インテリアコーディネーター、建物の販売担当者、建物の購入者及び建物の所有者等において広く使用されることが期待される。すなわち、図面１，図面４及び透明シート５を用いれば、確認したい建物内の各部屋や各施設のサイズを各自で容易に測ることができる。
【符号の説明】
【００２４】
１：図面  ２：部屋  ３：六角形  ４：図面  ５：透明シート
【図１】
0006564692.tif 000002
【図２】
0006564692.tif 000003
【図３】
0006564692.tif 000004
【図４】
0006564692.tif 000005
【図５】
0006564692.tif 000006
【図６】
0006564692.tif 000007